(57)【要約】【課題】白色照明としても使用可能であって、かつ、使用者に対して一定の意匠性を感じさせることが可能な有機ＥＬパネル、光取出しフィルム及び有機ＥＬ装置を安価に提供すること。【解決手段】複数の発光色の異なる単色発光領域を備えた有機ＥＬパネルであって、該有機ＥＬパネルを構成するすべての有機ＥＬ素子は統一して発光状態が制御され、ＣＩＥ１９７６ｕ’ ，ｖ’色度座標において、該パネルから出射された発光の換算色度座標値からの等色温度線に沿った黒体輻射軌跡までの距離Ｘが０．０５以下であり、開口率が７０％以上である、有機ＥＬパネル。【選択図】図１
2016184530.tif 000002
【特許請求の範囲】
【請求項１】
複数の発光色の異なる単色発光領域を備えた有機ＥＬパネルであって、
該有機ＥＬパネルを構成するすべての有機ＥＬ素子は統一して発光状態が制御され、
ＣＩＥ１９７６ｕ’ ，ｖ’色度座標において、該有機ＥＬパネルから出射された発光
の換算色度座標値からの等色温度線に沿った黒体輻射軌跡までの距離Ｘが０．０５以下であり、
開口率が７０％以上である、有機ＥＬパネル。
【請求項２】
前記有機ＥＬパネルを構成する複数の有機ＥＬ素子がマトリックス状に配置されていることを特徴とする、請求項１に記載の有機ＥＬパネル。
【請求項３】
複数の発光色の異なる単色発光領域を備え、
光の放射面に光取り出しフィルムを備え、
該光取出しフィルムは、基材上に、集光及び／又は光散乱要素を設けた集光散乱領域、並びに該集光及び／又は光散乱要素を設けない非集光散乱領域を含み、
光の放射面から見て、該単色発光領域の境界の少なくとも一部が、該非集光散乱領域と重なっていることを特徴とする、有機ＥＬ装置。
【請求項４】
請求項１又は２に記載の有機ＥＬパネルを備えることを特徴とする、請求項３に記載の有機ＥＬ装置。
【請求項５】
請求項３又は請求項４に記載の有機ＥＬ装置に用いられる、光取出しフィルム。
【請求項６】
前記非集光散乱領域が、幅１０μｍ以上３ｍｍ以下の帯状である、請求項５に記載の光取出しフィルム。
【発明の詳細な説明】
【技術分野】
【０００１】
本発明は、有機ＥＬパネル、光取り出しフィルム、及びこれらを用いた有機ＥＬ装置に関する。
【背景技術】
【０００２】
有機ＥＬ素子は、数ボルトの電圧を印可すると自発光し、少量の発光性物質を添加することで発光色も容易に調整できることから、ディスプレイや照明への応用が検討されてきた。長年の課題であった、発光効率や駆動寿命も大幅に改善され、近年は実用化されつつある。有機ＥＬディスプレイは、一部の携帯機器などで、着実に製品化が進んでいるのに対し、有機ＥＬ照明は、ＬＥＤに対する優位性が一般に認められていないこと、価格が高いことからまだ普及が進んでいるとは言えない。
【０００３】
有機ＥＬ照明は、面発光するため、実用的な輝度で光らせた状態で、照明が目に入ってもあまりまぶしくならない、という特徴がある。そのため、天井だけでなく、従来の間接照明の様に、壁やベッドサイド、足元などに白色照明として設置されることも想定されている（例えば、特許文献１参照）。
一方、有機ＥＬ素子を情報表示装置として利用することも提案されている（例えば、特許文献２、３参照）。これらは、発光パターンにより文字や図形等の情報を表示することで、意匠性をもたせたり、広告として用いたりするものである。
【先行技術文献】
【特許文献】
【０００４】
【特許文献１】特開２０１０−００９９６９号公報
【特許文献２】特開２０１４−２３５７９０号公報
【特許文献３】特開２００１−２６５２７０号公報
【発明の概要】
【発明が解決しようとする課題】
【０００５】
しかしながら、前述のような白色照明と、何らかの意匠性を有する情報表示装置とは、完全に用途が異なるものであり、何らかの意匠性を有しつつ、白色照明としても使用可能な有機ＥＬ装置については、これまでほとんど検討がなされていなかった。
上記事情に鑑み、本発明は、白色照明としても使用可能であって、かつ、使用者に対して一定の意匠性を感じさせることが可能な有機ＥＬパネル、光取出しフィルム及び有機ＥＬ装置を安価に提供することを課題とする。
【課題を解決するための手段】
【０００６】
本発明者らは、上記課題を解決すべく鋭意検討した結果、有機ＥＬパネル及び光取出しフィルムの構成に種々の工夫を加えることにより、上記課題を解決できることを見出し、本発明に到達した。
従って、本発明は以下を要旨とするものである。
（１）複数の発光色の異なる単色発光領域を備えた有機ＥＬパネルであって、該有機ＥＬパネルを構成するすべての有機ＥＬ素子は統一して発光状態が制御され、ＣＩＥ１９７６ｕ’ ，ｖ’色度座標において、該有機ＥＬパネルから出射された発光の換算色度座標値
からの等色温度線に沿った黒体輻射軌跡までの距離Ｘが０．０５以下であり、開口率が７０％以上である、有機ＥＬパネル。
（２）前記有機ＥＬパネルを構成する複数の有機ＥＬ素子がマトリックス状に配置されていることを特徴とする、（１）に記載の有機ＥＬパネル。
（３）複数の発光色の異なる単色発光領域を備え、光の放射面に光取り出しフィルムを備え、該光取出しフィルムは、基材上に、集光及び／又は光散乱要素を設けた集光散乱領域、並びに該集光及び／又は光散乱要素を設けない非集光散乱領域を含み、光の放射面から見て、該単色発光領域の境界の少なくとも一部が、該非集光散乱領域と重なっていることを特徴とする、有機ＥＬ装置。
（４）（１）又は（２）に記載の有機ＥＬパネルを備えることを特徴とする、（３）に記載の有機ＥＬ装置。
（５）（３）又は（４）に記載の有機ＥＬ装置に用いられる、光取出しフィルム。
（６）前記非集光散乱領域が、幅１０μｍ以上３ｍｍ以下の帯状である、（５）に記載の光取出しフィルム。
【発明の効果】
【０００７】
本発明に係る有機ＥＬパネル、光取り出しフィルム、及びこれらを用いた有機ＥＬ装置によれば、白色照明としても使用可能であって、かつ、使用者に対して一定の意匠性を感じさせることが可能である。
【図面の簡単な説明】
【０００８】
【図１】単色発光領域が２つである場合の本発明の有機ＥＬパネルの一例を示す発光面側から見た模式的な上面図である。
【図２】有機ＥＬ素子がマトリックス状に配置されている場合の本発明の有機ＥＬパネルの一例を示す発光面側から見た模式的な上面図である。
【図３】三角の発光デザインを有する場合の本発明の有機ＥＬパネルの一例を示す発光面側から見た模式的な上面図である。
【図４】四角の発光デザインを有する場合の本発明の有機ＥＬパネルの一例を示す発光面側から見た模式的な上面図である。
【図５】和柄模様の発光デザインを有する場合の本発明の有機ＥＬパネルの一例を示す発光面側から見た模式的な上面図である。
【図６】本発明の有機ＥＬ装置の一例を示す模式的な上面図である
【図７】本発明の光取出しフィルムの一例を示す模式的な上面図である。
【発明を実施するための形態】
【０００９】
以下、図面を参照し、本発明の有機ＥＬパネル、光取り出しフィルム、及びこれらを用いた有機ＥＬ装置の実施の形態について詳細に説明する。
なお、本発明は以下に説明する内容に限定されるものではなく、その要旨を変更しない範囲において任意に変更して実施することが可能である。また、本実施の形態の説明に用いる図面は、いずれも本発明による有機ＥＬパネル、光取り出しフィルム又はこれらの構成部材を模式的に示すものであって、理解を深めるべく部分的な強調、拡大、縮小、又は省略等を行っており、各構成部材の縮尺や形状等を正確に表すものとはなっていない場合がある。更に、本実施の形態で用いる様々な数値は、いずれも一例を示すものであり、必要に応じて様々に変更することが可能である。
【００１０】
（本発明の有機ＥＬパネルの構成について）
本実施形態の有機ＥＬパネルは、複数の発光色の異なる単色発光領域を備える。有機ＥＬパネルに所望の意匠性を付与し、かつ照明としての機能も付与するためには、有機ＥＬパネルの発光面に、複数の発光色の異なる単色発光領域が必要であるため、本実施形態の有機ＥＬパネルは、各単色発光領域に対応する複数の有機ＥＬ素子（詳細は後述する）から構成される。
【００１１】
ここで、本発明の有機ＥＬパネルを構成するすべての有機ＥＬ素子の発光状態は、統一して制御される。つまり、それぞれの有機ＥＬ素子の発光状態は独立して制御することは
できず、全ての有機ＥＬ素子の発光／非発光を同時に行い、発光時の発光強度は同じレベルで調節される。従って、各有機ＥＬ素子の配置の仕方によって所望の意匠性を有する発光状態（以下、発光デザインと記載）が決定される。このような構成とすることで、発光時に視認される発光デザインを常に同じとすることができる。また、有機ＥＬパネルの制御システムを簡単な構成とすることができ、より低コストで実現することが可能となる。本発明における発光デザインは、液晶パネルを搭載したディスプレイ、デジタルサイネージや、有機ＥＬディスプレイでも表示させることは出来るが、本願の有機ＥＬパネルは、液晶パネルと比較するとカラーフィルターや偏光板が不要なため光の利用効率が高く、低消費電力かつ高輝度である。一方、有機ＥＬディスプレイの場合、当然ながら発光デザインが可変でなければならないため、有機ＥＬディスプレイを構成する各有機ＥＬ素子の発光状態は独立して制御可能としなければならず、有機ＥＬ素子の制御システムは複雑で高度なものとなり、製造コストも高くなる。また、通常、コントラストを高めるために開口率が低く、輝度も照明用途の有機ＥＬパネルに比べて明らかに低いものとなる。これに対し、本発明の有機ＥＬパネルは、回路が単純なことで、より低い製造コスト、かつ低消費電力が実現でき、後述の通り高開口率による高輝度が実現できる。
【００１２】
有機ＥＬ素子の発光状態を統一して制御する方法として、具体的には、有機ＥＬ素子の陽極と陰極の両方がすべての有機ＥＬ素子に共通している形態、言い換えると、有機ＥＬ素子の有機層に接するすべての陽極、すべての陰極がそれぞれ電気的に独立せずに、直接接続されている形態が挙げられる。さらには、すべての有機ＥＬ素子を、電気的に並列に接続するのが好ましい。
【００１３】
ここで、本発明においては、有機ＥＬパネルの発光面を１ｍ離れた距離から肉眼で観察した時に、同じ色と認識される連続した領域を単色発光領域、と定義する。１つの単色発光領域の大きさの最低限度としては、３ｍｍ角の領域が少なくとも１つは内部に含まれるだけの面積および形状である。１つの有機ＥＬ素子が１つの単色発光領域を形成してもよいし、隣接する有機ＥＬ素子の発光色が同一である有機ＥＬ素子群があれば、それら複数の有機ＥＬ素子全体で１つの単色発光領域を形成する場合もある。１つ１つの有機ＥＬ素子が肉眼で区別できないほど小さい場合は、隣接する有機ＥＬ素子の発光色が異なっていたとしても、肉眼で観察した場合に１つの連続した同じ色と認識される領域であれば、それらを１つの単色発光領域とみなせる。有機ＥＬ素子が肉眼で区別できるかどうかは観察する距離によるが、人間の視覚の解像度は１／６０度といわれており、通常の屋内用途の照明であれば、１ｍの距離で識別可能かどうかを目安とすると、有機ＥＬ素子の幅、あるいは長さが０．３ｍｍ以下であれば、肉眼で識別できないレベルと言える。
【００１４】
また、発光デザインの意匠性の観点から、形状の異なる単色発光領域の組み合わせが少なくとも１つは含まれるのが好ましい。また、１つの有機ＥＬパネルに含まれる単色発光領域の発光色は、最低２色は必要であるが、発光デザインの多様性の観点から、３色以上が好ましく、４色以上が更に好ましく、５色以上が最も好ましい。
本発明においては、全ての有機ＥＬ素子の発光面を総称して単に発光領域、と定義する。また、通常、１つ１つの有機ＥＬ素子の境界には、構造上非発光領域を設けることが必要となる。従って、本発明の有機ＥＬパネルの発光面は、発光領域と非発光領域とからなる。なお、非発光領域とは、図２のようなマトリックスの配置においては当該領域の両側に発光領域が存在する領域であり、有機ＥＬパネルの外周部に存在する発光しない領域は除くものとする。
【００１５】
また、本発明の有機ＥＬパネルは、上記の通り発光時に発光デザインを実現可能であるが、同時に、白色照明としての機能を有することを特徴とする。すなわち、使用者に対し、発光デザインの視認が可能でありながら、有機ＥＬパネル全体の発光状態としては、通常の白色照明として感じられることが必要である。このような状態を実現するためには、
有機ＥＬパネルの発光面から出射された発光の色度が、黒体輻射軌跡に近いことが必要である。本発明の有機ＥＬパネルは、ミクロに見れば、発光デザインを実現するために発光色の異なる複数の単色発光領域を有しているが、使用者が一定以上有機ＥＬパネルから離れている場合は、有機ＥＬパネルを構成するすべての有機ＥＬ素子の光が合成された１つの光として感じることになる。このことから、本発明の有機ＥＬパネルにおいては、すべての有機ＥＬ素子の発光スペクトルを足し合わせた合成スペクトルを計算し、この合成スペクトルのＣＩＥ１９７６ｕ’ ，ｖ’色度座標における色度座標値を、有機ＥＬパネル
から出射された発光の換算色度座標値とし、この換算色度座標値からの等色温度線に沿った黒体輻射軌跡までの座標上の距離Ｘが、０．０５以下であることが必要である。この範囲であれば、全体としては通常の白色照明として機能することが可能である。Ｘはさらに、０．０３以下が好ましく、０．０２以下がより好ましく、０．０１以下が最も好ましい。
【００１６】
ここで、合成スペクトルの計算は、有機ＥＬパネルを構成する全ての有機ＥＬ素子の各発光スペクトルに、各有機ＥＬ素子の発光面の面積を掛け合わせた後、それらを足し合わせることにより行う。つまり、発光面の面積が大きい有機ＥＬ素子ほど、合成スペクトルへの影響が大きくなり、実際に使用者が感じる発光スペクトルに対応するものとなる。
また、通常の白色照明として機能するためには、有機ＥＬパネル全体として一定レベルの輝度が必要である。本発明の有機ＥＬパネルの発光面には、前述の通り発光領域と非発光領域が存在する。ここで、本発明においては、有機ＥＬパネルの発光面全体の面積（すべての有機ＥＬ素子の発光面の面積＋非発光領域の面積）に対するすべての有機ＥＬ素子の発光面の面積の割合を開口率と定義し、開口率が、一定以上の大きさを有することで、一定レベルの輝度が実現しやすくなる。本発明の有機ＥＬパネルにおいては、開口率が７０％以上であることが必要であり、８０％以上であることが好ましく、９０％以上であることがより好ましく、９５％以上であることが更に好ましい。また、最大輝度については２０００ｃｄ／ｍ２以上が好ましく、更に好ましくは３０００ｃｄ／ｍ２以上である。
以上の構成について図１を用いて説明する。図１は、単色発光領域が２つである場合の、本発明の有機ＥＬパネルを発光面側から見た模式的な上面図である。
【００１７】
本実施形態の有機ＥＬパネル１０は、互いに発光色の異なる単色発光領域１ａと１ｂを有し、これら２つの単色発光領域により発光領域２が形成されている。また、単色発光領域１ａと１ｂの境界には、非発光領域３が形成されている。このような構成にすることで、真ん中に四角い模様のある発光デザインを使用者が視認できることになる。
本発明の好ましい変形例について、図２を用いて説明する。
【００１８】
本変形例においては、有機ＥＬパネル１０を構成する各有機ＥＬ素子７が、マトリックス状に配置されていることを特徴とする。本発明におけるマトリックス状とは、複数の構成要素が平面内に規則正しく配列されている状態を指す。典型的な例としては、図２に示すような格子状の配列が挙げられる。このような有機ＥＬパネル１０の構成は、例えば、各有機ＥＬ素子７の境界の部分（図中、格子の線の部分）に、各有機ＥＬ素子７を区画するためのバンク８を設け、バンク８により区画された領域内に各有機ＥＬ素子７を形成することによって得られる。発光色の異なる複数の有機ＥＬ素子により、このような格子状の配列を形成し、特定の位置にある有機ＥＬ素子７の発光色を他の位置にある有機ＥＬ素子７の発光色と異ならせることで、有機ＥＬパネル全体として、所望の発光デザインが実現可能である。図３に、中央に三角の図柄を認識可能とした例を示す。中央の三角部分の単色発光領域１ａと、周囲の単色発光領域１ｂを構成する有機ＥＬ素子７の発光色を異ならせることにより実現可能である。
【００１９】
バンク８は、有機ＥＬ素子７を区画する目的を果たせるものであれば特に限定されるものではなく、有機材料でも無機材料でも構わない。絶縁材料であれば好ましいが、絶縁材
料の内部に補助電極が設けられていても構わない。
また、上記構成とすることで、種々の発光デザインを、有機ＥＬパネルの基本構成を大きく変えることなく、各有機ＥＬ素子７の発光色の配置を変更するだけで実現可能である。従って、安価に種々の発光デザインの有機ＥＬパネルを作製することができる。図４に、マトリックス状の有機ＥＬ素子の配置を変更せずに、中央に四角部分の単色発光領域１ａを設けた例を示す。ここでは、単純な２つの単色発光領域１を有する場合について例示したが、当然ながら、５色以上の複数の単色発光領域１を組み合わせ、より複雑な画像や文字等を発光デザインとして実現可能な構成とすることも可能である。
【００２０】
図５に、和柄模様の発光デザインを実現した有機ＥＬパネル１０の例を示す。この有機ＥＬパネルは、２種類の単色発光領域９ａ及び９ｂからなり、単色発光領域９ａの全面積と単色発光領域９ｂの全面積は同等である。単色発光領域９ａは明度Ｙ＝０．０７２２、色度（ｕ’ ，ｖ’）＝（０．１７５５，０．１５７９）の発光を有し、単色発光領域９
ｂは明度Ｙ＝０．９２７８、色度（ｕ’ ，ｖ’）＝（０．２０３９，０．５５２９）の
発光を有するものとする。この有機ＥＬパネルにおいて、すべての有機ＥＬ素子の発光スペクトルを足し合わせた合成スペクトルを計算し、この合成スペクトルのＣＩＥ１９７６ｕ’ ，ｖ’色度座標における色度座標値を算出すると、（ｕ’ ，ｖ’）＝（０．１９７８，０．４６８３）となり、この場合、等色温度線に沿った黒体輻射軌跡までの座標上の距離Ｘは０．００３４となり、有機ＥＬパネル全体としては白色照明として機能するものと考えられる。
【００２１】
本変形例においては、有機ＥＬ素子の配列はマトリックス状としているが、当然ながらこれに限定されるものでは無い。所望の発光デザインを実現可能な配置であれば、任意の形状で有機ＥＬ素子を配列可能である。
本発明における各有機ＥＬ素子７の具体的な構成、及び製造方法については、従来公知の技術を適宜選択して用いればよい。この際、有機ＥＬ素子７の発光色を決定する発光層については、湿式成膜を用いることが好ましい。真空蒸着に比べ、異なる材料からなる発光層を形成する際の材料の利用効率が比較的良好であり、より安価に有機ＥＬパネル１０が製造可能であるからである。製造方法としては、任意の発光デザインに対応した発光層を形成できる点で、印刷法が好ましく、インクジェット印刷法が特に好ましい。
【００２２】
（本発明の光取出しフィルム及びそれを備えた有機ＥＬ装置について）
照明用の有機ＥＬパネルにおいては、光取出し効率を高め、有機ＥＬ素子の欠陥を目立たなくするために、光の放射面に光取出しフィルムを設けることが一般的である。光取出しフィルムの構成は、通常、透明な基材上の全面に、集光及び／又は光散乱要素を設けた集光散乱領域を設けている。本発明の光取出しフィルムは、透明な基材上の一部に、集光及び／又は光散乱要素を設けない非集光散乱領域をあえて形成することを特徴とする。
【００２３】
集光及び／又は光散乱要素とは、有機ＥＬ素子からの発光の進行方向を変化させてやることで、基板と空気、透明電極と基板など、屈折率差のある媒体間の界面における反射を抑え、光取出し効率を高める機能を有する構成要素を指し、具体的にはマイクロレンズ、プリズム、散乱粒子、多孔質膜、透明ビーズ、粗面化されたフィルム表面、回折格子などを指す。透明な基材上の、集光及び／又は光散乱要素を設けない領域は、非集光散乱領域となる。
【００２４】
集光散乱領域は、従来より公知の方法で、透明な基材上に容易に形成することができる。本発明の光取出しフィルムは、透明な基材上の一部領域に集光及び／又は光散乱要素を選択的に設ける、あるいは透明な基材上の全領域に集光及び又は光散乱要素を設けたのち、非集光散乱領域としたい領域に設けられた該要素を選択的に除去することで形成できる。
【００２５】
本発明の光取出しフィルムは、複数の発光色の異なる単色発光領域を備えた有機ＥＬ装置に好適に用いられる。その理由は以下の通りである。
複数の発光色の異なる単色発光領域を備えた有機ＥＬ装置においては、前述の本発明の有機ＥＬパネル同様、各単色発光領域の発光色を制御することにより、所望の発光デザインを実現することが可能である。これらの有機ＥＬ装置においても、照明用の有機ＥＬパネル同様、該装置の光の放射面に、集光及び／又は光散乱要素を設けた集光散乱領域を有する光取出しフィルムを備えることにより、光取出し効率を高め、有機ＥＬ素子の欠陥を目立たなくすることが好ましい。しかしながら、通常の、透明な基材上の全面に、集光散乱領域を設けた光取出しフィルムを用いた場合は、発光デザインにおける発光色の異なる単色発光領域間の境界においても、集光及び／又は光散乱が起きるため、発光色の異なる単色発光領域間の境界がぼやけてしまい、発光デザインの輪郭が見えにくくなってしまう。このような事態を避けるためには、光取出しフィルムの、単色発光領域間の境界に対応する領域が、前述の非集光散乱領域と重なっていればよい。ここで、非集光散乱領域は、単色発光領域間の境界に存在する非発光領域よりも若干幅広い領域である必要があり、単色発光領域の一部を含む。
【００２６】
本発明の光取出しフィルムにおける非集光散乱領域は、適用される有機ＥＬ装置の発光デザインに応じた形状を有することが好ましく、単色発光領域の境界の少なくとも一部と重なっていればよいが、単色発光領域の境界全てと重なっていることが好ましい。また、非集光散乱領域の幅については、１０μｍ以上が好ましく、更に好ましくは１００μｍ以上である。この程度の幅であれば、単色発光領域の境界がぼやけてしまうことを防ぐことができる。また、３ｍｍ以下が好ましく、更に好ましくは１ｍｍ以下である。この程度の幅であれば、光取出し効率の低下を実用上問題ない範囲に抑えることが可能である。
【００２７】
本発明の光取出しフィルムと有機ＥＬ装置の一例を、図６及び７を用いて説明する。図６は、本発明の有機ＥＬ装置３０の発光状態を、光の放射面から見た上面図である。ここでは、中央に三角部分の領域を設けた発光デザインとしている。図６に示す通り、発光色の異なる単色発光領域１ａと１ｂの境界４が三角形を成す形態となっている。このような発光デザインの有機ＥＬ装置３０に、図７に示す光取出しフィルム２０を組み合わせることが好ましい。図７は、本発明の光取り出しフィルム２０の上面図である。図中白抜きで示した三角部分の輪郭に当たる、図６に示した単色発光領域１ａ、１ｂの境界に対応する領域に重なるように、非集光散乱領域６を設け、それ以外の領域を集光散乱領域５としている。この光取出しフィルム２０を、有機ＥＬ装置３０の光の放射面に配置することにより、三角部分の輪郭が明確に視認可能な有機ＥＬ装置３０が実現可能となる。
【００２８】
本発明の上記光取出しフィルムを、前述の本発明の有機ＥＬパネルと組み合わせ、上記同様、有機ＥＬパネルの単色発光領域の境界の少なくとも一部が、光取出しフィルムの非集光散乱領域と重なるように配置することも好ましい。上記同様の効果が得られるからである。
【符号の説明】
【００２９】
１、１ａ、１ｂ      単色発光領域
２                  発光領域
３                  非発光領域
４                  単色発光領域の境界
５                  集光散乱領域
６                  非集光散乱領域
７                  有機ＥＬ素子
８                  バンク
９ａ                単色発光領域
９ｂ                単色発光領域
１０                有機ＥＬパネル
２０                光取出しフィルム
３０                有機ＥＬ装置
【図１】
2016184530.tif 000003
【図２】
2016184530.tif 000004
【図３】
2016184530.tif 000005
【図４】
2016184530.tif 000006
【図５】
2016184530.tif 000007
【図６】
2016184530.tif 000008
【図７】
2016184530.tif 000009